(57)【要約】【課題】底フレームの側面部に前面グリルの背面側の端部を確実に固定することが可能な壁掛型室内ユニットの固定爪構造を提供する。【解決手段】室内ユニット１の固定爪構造は、第１フレーム側爪部４１と、第１グリル側挿入部４２と、第１グリル側爪部４３とを有する。第１フレーム側爪部４１は、底フレーム２１の外方に向かって突出する突起からなり、突起の背面側の部分が底フレーム２１の外方に向かうにつれて背面側に向かって傾斜する第１フレーム側傾斜面４１ａを有する。第１グリル側挿入部４２は、第１フレーム側爪部４１が前面グリル３１の内方から挿入される孔からなる。第１グリル側爪部４３ａは、第１グリル側挿入部４２に形成されており、前方に向かって突出する突起からなり、第１フレーム側爪部４１を第１グリル側爪部４２に挿入する際に、突起の外方側の部分が第１フレーム側傾斜面４１ａに当接する第１グリル側傾斜面４３ａを有する。【選択図】図８
2011075153.tif 000002
【特許請求の範囲】
【請求項１】
底フレーム（２１）の側面部に前面グリル（３１）の背面側の端部を装着するための壁掛型室内ユニットの固定爪構造であって、
前記底フレームに形成されており、前記底フレームの外方に向かって突出する突起からなり、前記突起の背面側の部分が前記底フレームの外方に向かうにつれて背面側に向かって傾斜する第１フレーム側傾斜面（４１ａ）を有する第１フレーム側爪部（４１）と、
前記前面グリルに形成されており、前記第１フレーム側爪部が前記前面グリルの内方から挿入される孔からなる第１グリル側挿入部（４２）と、
前記第１グリル側挿入部に形成されており、前方に向かって突出する突起からなり、前記第１フレーム側爪部を前記第１グリル側爪部に挿入する際に、前記突起の外方側の部分が前記第１フレーム側傾斜面に当接する第１グリル側傾斜面（４３ａ）を有する第１グリル側爪部（４３）と、
を備えた壁掛型室内ユニットの固定爪構造。
【請求項２】
前記底フレーム（２１）及び前記前面グリル（３１）のいずれか一方の前記第１フレーム側爪部（４１）及び前記第１グリル側爪部（４３）の近傍には、前記底フレーム及び前記前面グリルのいずれか他方が前後方向に当接するリブ部（４４）がさらに形成されている、請求項１に記載の壁掛型室内ユニットの固定爪構造。
【請求項３】
前記第１フレーム側爪部（４１）、前記第１グリル側挿入部（４２）及び前記第１グリル側爪部（４３）は、前記底フレーム（２１）及び前記前面グリル（３１）の前面視における２つのコーナー部付近に形成されている、請求項１又は２に記載の壁掛型室内ユニットの固定爪構造。
【請求項４】
前記前面グリル（３１）の外方に向かって突出する突起からなる第２フレーム側爪部（５１）が前記２つのコーナー部間に形成されており、
前記第２フレーム側爪部が内方から挿入される孔からなる第２グリル側挿入部（５２）が前記２つのコーナー部間に形成されており、
前記第２フレーム側爪部及び前記第２グリル側挿入部とは別に、前記前面グリルが外方に向かって移動すること制限するために、第３爪部（５３）及び前記第３爪部が挿入される第３挿入部（５４）が前記２つのコーナー部間に形成されている、
請求項３に記載の壁掛型室内ユニットの固定爪構造。
【請求項５】
前記底フレーム（２１）の側面部は、前記底フレームの上側面部であり、
前記底フレームの外方は、前記底フレームの上方であり、
前記前面グリル（３１）の内方は、前記前面グリルの下方であり、
前記突起の外方側の部分は、前記突起の上側面側の部分である、
請求項１〜４のいずれかに記載の壁掛型室内ユニットの固定爪構造。
【発明の詳細な説明】
【技術分野】
【０００１】
本発明は、壁掛型室内ユニットの固定爪構造、特に、底フレームの側面部に前面グリルの背面側の端部を装着するための壁掛型室内ユニットの固定爪構造に関する。
【背景技術】
【０００２】
従来より、特許文献１（特開平１０−１３２３１７号公報）に示されるような壁掛型室内ユニットがある。この壁掛型室内ユニットは、各種機器を収容するケーシングを有しており、壁面に取り付けられた裏板（以下、据付板とする）に固定されている。ケーシングは、本体フレーム（以下、底フレームとする）にキャビネット（以下、前面グリルとする）を前面側から装着することによって構成されている。前面グリルの上側面部の背面側の端部には、固定爪が形成されている。また、底フレームの上側面部には、固定爪を係止するための係止孔が形成されている。そして、これらの固定爪及び係止孔によって、前面グリルの上側面部の背面側の端部は、底フレームの上側面部に装着されている。このように、これらの固定爪及び係止孔は、底フレームの上側面部に前面グリルの上側面部の背面側の端部を装着するための固定爪構造を構成している。
【発明の概要】
【発明が解決しようとする課題】
【０００３】
上記従来の固定爪構造では、底フレームの係止孔付近に上向きの力が作用したり、または、前面グリルの固定爪付近に下向きの力が作用すると、固定爪と係止孔とが上下方向に離れて、底フレームが前面グリルに対して浮いた状態になる可能性がある。また、上記とは逆に、底フレームに固定爪を形成し、かつ、前面グリルに係止孔を形成した固定爪構造を採用することも考えられる。しかし、この場合でも、底フレームの固定爪付近に下向きの力が作用したり、または、前面グリルの係止孔付近に上向きの力が作用すると、固定爪と係止孔とが上下方向に離れて、前面グリルが底フレームに対して浮いた状態になる可能性がある。
【０００４】
そして、このような状態になると、固定爪と係止孔との係止が解除されてしまうおそれがあり、これにより、前面グリルの上側面部の背面側の端部の底フレームの上側面部への確実な固定が妨げられるおそれがある。
【０００５】
本発明の課題は、底フレームの側面部に前面グリルの背面側の端部を確実に固定することが可能な壁掛型室内ユニットの固定爪構造を提供することにある。
【課題を解決するための手段】
【０００６】
第１の発明にかかる壁掛型室内ユニットの固定爪構造は、底フレームの側面部に前面グリルの背面側の端部を装着するための壁掛型室内ユニットの固定爪構造であって、第１フレーム側爪部と、第１グリル側挿入部と、第１グリル側爪部とを備えている。第１フレーム側爪部は、底フレームに形成されており、底フレームの外方に向かって突出する突起からなり、突起の背面側の部分が底フレームの外方に向かうにつれて背面側に向かって傾斜する第１フレーム側傾斜面を有している。第１グリル側挿入部は、前面グリルに形成されており、第１フレーム側爪部が前面グリルの内方から挿入される孔からなる。第１グリル側爪部は、第１グリル側挿入部に形成されており、前方に向かって突出する突起からなり、第１フレーム側爪部を第１グリル側爪部に挿入する際に、突起の外方側の部分が第１フレーム側傾斜面に当接する第１グリル側傾斜面を有している。ここで、「外方」とは、底フレームや前面グリルの内部から外部に向かう方向をいい、「内方」とは、底フレームや前面グリルの外部から内部に向かう方向をいう。
【０００７】
この固定爪構造では、第１フレーム側爪部を第１グリル側挿入部に前面グリルの内方から挿入することによって、前面グリルが底フレームに装着される。このため、前面グリルが内方に向かう移動、及び、底フレームが外方に向かう移動を制限することができる。しかも、この固定爪構造では、第１フレーム側爪部は、第１フレーム側傾斜面を有しており、第１グリル側挿入部には、第１フレーム側傾斜面に当接する第１グリル側傾斜面を有する第１グリル側爪部が形成されている。そして、この第１フレーム側爪部の第１フレーム側傾斜面は、第１フレーム側爪部を第１グリル側挿入部に挿入する際に、第１グリル側爪部の第１グリル側傾斜面に当接することによって、前面グリルが外方に向かう移動、及び、底フレームが内方に向かう移動を制限することができる。
【０００８】
これにより、前面グリルと底フレームとの内外方向の相対移動を制限することができるため、前面グリルが底フレームに対して浮いた状態になりにくくなり、底フレームの側面部に前面グリルの背面側の端部を確実に固定することができる。しかも、第１グリル側爪部が第１グリル側挿入部に形成されており、第１フレーム側爪部、第１グリル側挿入部及び第１グリル側爪部を一カ所にまとめて配置することができるため、固定爪構造を配置しにくい部分にも容易に形成することができる。
【０００９】
第２の発明にかかる壁掛型室内ユニットの固定爪構造は、第１の発明にかかる壁掛型室内ユニットの固定爪構造において、リブ部がさらに形成されている。リブ部は、底フレーム及び前面グリルのいずれか一方の第１フレーム側爪部及び第１グリル側爪部の近傍に形成されており、底フレーム及び前面グリルのいずれか他方が前後方向に当接する部分である。
【００１０】
この固定爪構造では、リブ部によって、前面グリルと底フレームとの前後方向の相対移動を制限することができる。
【００１１】
これにより、第１フレーム側爪部の第１フレーム側傾斜面と第１グリル側爪部の第１グリル側傾斜面との当接が解除されにくくなり、底フレームの側面部に前面グリルの背面側の端部をさらに確実に固定することができる。
【００１２】
第３の発明にかかる壁掛型室内ユニットの固定爪構造は、第１又は第２の発明にかかる壁掛型室内ユニットの固定爪構造において、第１フレーム側爪部、第１グリル側挿入部及び第１グリル側爪部は、底フレーム及び前面グリルの前面視における２つのコーナー部付近に形成されている。
【００１３】
壁掛型室内ユニットにおいて、底フレーム及び前面グリルの前面視におけるコーナー部付近は、丸みを帯びた形状を有しており、底フレームの側面部に前面グリルの背面側の端部を装着するための固定爪構造を配置しにくい部分である。
【００１４】
しかし、第１フレーム側爪部、第１グリル側挿入部及び第１グリル側爪部を一カ所にまとめて配置することができる固定爪構造であるため、固定爪構造を配置しにくいコーナー部付近であっても容易に形成することができる。
【００１５】
第４の発明にかかる壁掛型室内ユニットの固定爪構造は、第３の発明にかかる壁掛型室内ユニットの固定爪構造において、第２フレーム側爪部、第２グリル側挿入部、第３爪部及び第３爪部が挿入される第３挿入部が、２つのコーナー部間にさらに形成されている。第２フレーム側爪部は、前面グリルの外方に向かって突出する突起からなる。第２グリル側挿入部は、第２フレーム側爪部が内方から挿入される孔からなる。第３爪部及び第３挿入部は、第２フレーム側爪部及び第２グリル側挿入部とは別に、前面グリルが外方に向かって移動すること制限するために形成されている。
【００１６】
ここでは、２つのコーナー部付近に、第１フレーム側爪部、第１グリル側挿入部及び第１グリル側爪部からなる固定爪構造（以下、第１固定爪構造とする）が配置され、２つのコーナー部間には、第２フレーム側爪部、第２グリル側挿入部、第３爪部及び第３挿入部からなる固定爪構造（以下、第２固定爪構造とする）が配置されている。ここで、第１固定爪構造は、前面グリルと底フレームとの内外方向の相対移動を制限する機能が一カ所にまとめて配置されている。これに対して、第２固定爪構造は、前面グリルと底フレームとの内外方向の相対移動を制限する機能が、第２フレーム側爪部及び第２グリル側挿入部の組と、第３爪部及び第３挿入部の組とに分かれて配置されている。すなわち、この固定爪構造では、固定爪構造を配置しにくい２つのコーナー部付近に第１固定爪構造を配置し、固定爪構造を配置しやすい２つのコーナー部間に第２固定爪構造を配置している。
【００１７】
このように、壁掛型室内ユニットの部位に応じて、２種類の固定爪構造を使い分けることができる。
【００１８】
第５の発明にかかる壁掛型室内ユニットの固定爪構造は、第１〜第４の発明のいずれかにかかる壁掛型室内ユニットの固定爪構造において、底フレームの側面部は、底フレームの上側面部であり、底フレームの外方は、底フレームの上方であり、前面グリルの内方は、前面グリルの下方であり、突起の外方側の部分は、突起の上側面側の部分である。
【００１９】
ここでは、第１フレーム側爪部、第１グリル側挿入部及び第１グリル側爪部からなる固定爪構造が、底フレームの上側面部に前面グリルの上側面部の背面側の端部を固定するために形成されている。
【００２０】
これにより、前面グリルと底フレームとの上下方向の相対移動を制限することができるため、前面グリルが底フレームに対して浮いた状態になりにくくなり、底フレームの上側面部に前面グリルの上側面部の背面側の端部を確実に固定することができる。
【発明の効果】
【００２１】
以上の説明に述べたように、本発明によれば、以下の効果が得られる。
【００２２】
第１の発明では、前面グリルと底フレームとの内外方向の相対移動を制限することができるため、前面グリルが底フレームに対して浮いた状態になりにくくなり、底フレームの側面部に前面グリルの背面側の端部を確実に固定することができる。しかも、第１グリル側爪部が第１グリル側挿入部に形成されており、第１フレーム側爪部、第１グリル側挿入部及び第１グリル側爪部を一カ所にまとめて配置することができるため、固定爪構造を配置しにくい部分にも容易に形成することができる。
【００２３】
第２の発明では、第１フレーム側爪部の第１フレーム側傾斜面と第１グリル側爪部の第１グリル側傾斜面との当接が解除されにくくなり、底フレームの側面部に前面グリルの背面側の端部をさらに確実に固定することができる。
【００２４】
第３の発明では、第１フレーム側爪部、第１グリル側挿入部及び第１グリル側爪部を一カ所にまとめて配置することができる固定爪構造であるため、固定爪構造を配置しにくいコーナー部付近であっても容易に形成することができる。
【００２５】
第４の発明では、壁掛型室内ユニットの部位に応じて、２種類の固定爪構造を使い分けることができる。
【００２６】
第５の発明では、前面グリルと底フレームとの上下方向の相対移動を制限することができるため、前面グリルが底フレームに対して浮いた状態になりにくくなり、底フレームの上側面部に前面グリルの上側面部の背面側の端部を確実に固定することができる。
【図面の簡単な説明】
【００２７】
【図１】本発明にかかる固定爪構造が採用された壁掛型室内ユニットの一実施形態としての室内ユニットの前面図（水平羽根が閉じた状態）である。
【図２】本発明にかかる固定爪構造が採用された壁掛型室内ユニットの一実施形態としての室内ユニットの下側面図（水平羽根が閉じた状態）である。
【図３】本発明にかかる固定爪構造が採用された壁掛型室内ユニットの一実施形態としての室内ユニットの右側面図（水平羽根が閉じた状態）である。
【図４】本発明にかかる固定爪構造が採用された壁掛型室内ユニットの一実施形態としての室内ユニットの斜視図（水平羽根が閉じた状態）である。
【図５】本発明にかかる固定爪構造が採用された壁掛型室内ユニットの一実施形態としての室内ユニットの斜視図（水平羽根が開いた状態）である。
【図６】ケーシングの分解斜視図（ケーシング内に収容される各種機器の図示は省略）である。
【図７】図６におけるケーシングを前面から見た際の右上のコーナー部付近に形成された第１固定爪構造の拡大斜視図である。
【図８】図７のＩ−Ｉ断面図（前面グリルが底フレームに装着された状態）である。
【図９】図７のＩＩ−ＩＩ断面図（前面グリルが底フレームに装着された状態）である。
【図１０】図６におけるケーシングを前面から見た際の右上及び左上の２つのコーナー部間に形成された第２固定爪構造の拡大斜視図である。
【図１１】図１０のＩＩＩ−ＩＩＩ断面図（前面グリルが底フレームに装着された状態）である。
【図１２】図１０のＩＶ−ＩＶ断面図（前面グリルが底フレームに装着された状態）である。
【発明を実施するための形態】
【００２８】
以下、本発明にかかる固定爪構造が採用された壁掛型室内ユニットの実施形態について、図面に基づいて説明する。
【００２９】
（１）空気調和装置の概略構成
本発明にかかる固定爪構造が採用された壁掛型室内ユニットを備えた空気調和装置は、室内に設置される室内ユニットと、室外に設置される室外ユニットとを有している。室内ユニットと室外ユニットとは、冷媒管や伝送線等を集合した集合連絡管によって接続される。空気調和装置は、熱交換を行って室内の空気調和を行うために、室内ユニットの室内熱交換器等と、室外ユニットの圧縮機、室外熱交換器及び膨張弁等とが、集合連絡管の冷媒管によって接続されることによって構成される冷媒回路を有している。また、空気調和装置を制御するために、リモートコントローラなどの制御端末から指令を受けて室内ユニットの機器を制御するための電装品箱が室内ユニットに設けられ、室外ユニットの機器を制御するための電装品箱が室外ユニットに設けられている。そして、室内ユニットの電装品箱と室外ユニットの電装品箱とが集合連絡管の伝送線で接続されている。
【００３０】
（２）室内ユニットの構成
＜室内ユニットの外観＞
図１は、本発明にかかる固定爪構造が採用された壁掛型室内ユニットの一実施形態としての室内ユニット１の前面図（水平羽根６が閉じた状態）である。図２は、室内ユニット１の下側面図（水平羽根６が閉じた状態）である。図３は、室内ユニット１の右側面図（水平羽根６が閉じた状態）である。図４は、室内ユニット１の斜視図（水平羽根６が閉じた状態）である。図５は、室内ユニット１の斜視図（水平羽根６が開いた状態）である。尚、以下の説明において、室内ユニット１の背面１ｆから前面１ａに向かう方向を前方といい、室内ユニット１の左側面１ｂおよび右側面１ｃを結ぶ方向を左右方向といい、室内ユニット１の上側面１ｄおよび下側面１ｅを結ぶ方向を上下方向という。
【００３１】
室内ユニット１は、主として、本体２と、化粧パネル５とを有している。室内ユニット１は、室内の壁面に取り付けられた据付板（図示せず）に背面１ｆが対向した状態で固定される壁掛型室内ユニットである。本体２は、各種機器を収容するケーシング２０を有している。ケーシング２０は、各種機器を支持する底フレーム２１と、底フレーム２１に前面側から装着される前面グリル３１とを有している。化粧パネル５は、本体２の前面１ａ、左側面１ｂ、右側面１ｃ及び上側面１ｄ、すなわち、下側面１ｅ及び背面１ｆを除く４つの面を覆うように、本体２の前面グリル３１に前面側から装着されている。室内ユニット１は、本体２の上側面１ｄ（ここでは、前面グリル３１の上側面部）に吸込口３を有し、本体２の下側面１ｅ（ここでは、前面グリル３１の下側面部）に吹出口４を有している。吹出口４には、吹出口４から吹き出される調和空気の気流の上下方向の角度を調節する水平羽根６が設けられている。室内ユニット１は、前面１ａから室内空気の吸い込みは行われず、専ら本体２の上側面１ｄの吸込口３から室内空気の吸い込みを行っている。このため、室内ユニット１の内部において、室内空気は、概ね室内ユニット１の上側面１ｄ側から室内ユニット１の下側面１ｅ側に向かって流れるようになっている。
【００３２】
室内ユニット１の本体２の内部には、左側面視又は右側面視において、本体２の略中央の背面側寄りにクロスフローファン７が設けられている。また、クロスフローファン７の上流側には、左側面視又は右側面視において、逆Ｖ字形状をした室内熱交換器（図示せず）が設けられており、クロスフローファン７に吸込まれる前に、室内熱交換器（図示せず）を室内空気が通過することによって空気調和が行われる。また、吸込口３には、エアフィルタ（図示せず）が設けられており、室内ユニット１内に吸い込まれる室内空気中の塵埃が取り除かれる。ここでは、図示しないが、前面視において、クロスフローファン７は、吸込口３と同じ程度の長さを有し、本体２の長手方向に沿って長く水平に配置されている。また、室内熱交換器（図示せず）も、本体２の長手方向に長く延びる形状に形成されており、長く延びる吸込口３と吹出口４との間に配置される。クロスフローファン７と吹出口４との間には、ディフューザー形状の吹出通路８が設けられる。吹出通路８の案内面８ａは、左側面視又は右側面視において、クロスフローファン７側に曲率中心を持つ滑らかな曲線を描いており、下方に向かうに従って曲率半径が大きくなっている。また、クロスフローファン７は、右側面視において、時計回りに回転して送風し、その中心軸が背面１ｆ寄りに配置されている。そして、吹出通路８は、下側面１ｅの前方側に向けて斜めに形成されている。吹出流路８には、吹出口４から見える位置に、吹出口４から吹き出される調和空気の気流の左右方向の角度を調節する垂直羽根９が設けられている。
【００３３】
＜前面グリルと底フレームとの装着構造＞
図６は、ケーシング２０の分解斜視図（ケーシング２０内に収容される各種機器の図示は省略）である。図７は、図６におけるケーシング２０を前面から見た際の右上のコーナー部２０ｇ付近に形成された第１固定爪構造４０の拡大斜視図である。図８は、図７のＩ−Ｉ断面図（前面グリル３１が底フレーム２１に装着された状態）である。図９は、図７のＩＩ−ＩＩ断面図（前面グリル３１が底フレーム２１に装着された状態）である。図１０は、図６におけるケーシング２０を前面から見た際の右上及び左上の２つのコーナー部２０ｇ、２０ｈ間に形成された第２固定爪構造５０の拡大斜視図である。図１１は、図１０のＩＩＩ−ＩＩＩ断面図（前面グリル３１が底フレーム２１に装着された状態）である。図１２は、図１０のＩＶ−ＩＶ断面図（前面グリル３１が底フレーム２１に装着された状態）である。尚、以下の説明において、「外方」とは、底フレーム２１や前面グリル３１の内部から外部に向かう方向をいい、「内方」とは、底フレーム２１や前面グリル３１の外部から内部に向かう方向をいう。
【００３４】
底フレーム２１は、ケーシング２０の背面２０ｆ（すなわち、本体２の背面１ｆ）を構成しており、上記のように、各種機器を支持している。前面グリル３１は、ケーシング２０の前面２０ａ（すなわち、化粧パネル５が取り除かれた状態の本体２の前面１ａ）、左側面２０ｂ（すなわち、本体２の左側面１ｂ）、右側面２０ｃ（すなわち、本体２の右側面１ｂ）、上側面２０ｄ（すなわち、本体２の上側面１ｄ）及び下側面２０ｅ（すなわち、本体２の下側面１ｅ）を構成している。
【００３５】
前面グリル３１は、上記のように、底フレーム２１に前面側から装着されるようになっているが（図６の矢印を参照）、ここでは、前面グリル３１の上側面部３２（すなわち、ケーシング２０の上側面２０ｄを構成する部分）の背面側の端部３２ａを底フレーム２１の上側面部２２（すなわち、ケーシング２０の背面２０ｆの上端部を構成する部分）に装着するための固定構造として、第１固定爪構造４０が設けられている。
【００３６】
第１固定爪構造４０は、ここでは、ケーシング２０を前面から見た際の右上のコーナー部２０ｇ及び左上のコーナー部２０ｈ付近に設けられている。第１固定爪構造４０は、主として、第１フレーム側爪部４１と、第１グリル側挿入部４２と、第１フレーム側爪部４３とを有している。
【００３７】
第１フレーム側爪部４１は、底フレーム２１に形成されている。より具体的には、第１フレーム側爪部４１は、底フレーム２１の上側面部２２の右上のコーナー部２０ｇ付近と、底フレーム２１の上側面部２２の左上のコーナー部２０ｈ付近とに形成されている。第１フレーム側爪部４１は、底フレーム２１の外方（ここでは、上方）に向かって突出する突起からなる。より具体的には、第１フレーム側爪部４１は、ケーシング２０を外方から見た際（すなわち、上面視）において、略長方形状の突起である。第１フレーム側爪部４１の突起の背面側の部分は、底フレーム２１の外方（ここでは、上方）に向かうにつれて背面側に向かって傾斜する第１フレーム側傾斜面４１ａを有している。
【００３８】
第１グリル側挿入部４２は、前面グリル３１に形成されている。より具体的には、第１グリル側挿入部４２は、前面グリル３１の端部３２ａの右上のコーナー部２０ｇ付近と、前面グリル３１の端部３２ａの左上のコーナー部２０ｈ付近とに形成されている。第１グリル側挿入部４２は、第１フレーム側爪部４１が前面グリル３１の内方（ここでは、下方）から挿入される孔からなる（図７の矢印を参照）。第１グリル側挿入部４２は、ケーシング２０を外方から見た際（すなわち、上面視）において、第１フレーム側爪部４１が嵌る略長方形状の孔である。
【００３９】
第１グリル側爪部４３は、第１グリル側挿入部４２に形成されている。より具体的には、ケーシング２０を外方から見た際（すなわち、上面視）において、第１グリル側挿入部４２内に形成されている。第１グリル側爪部４３は、前方に向かって突出する突起からなる。より具体的には、第１グリル側爪部４３は、第１グリル側挿入部４２の背面側の周縁部から前方に向かって突出している。第１グリル側爪部４３には、第１フレーム側爪部４１を第１グリル側爪部４２に挿入する際に、第１グリル側爪部４３の突起の外方側の部分が第１フレーム側傾斜面４１ａに当接する第１グリル側傾斜面４３ａを有している。より具体的には、第１グリル側傾斜面４３ａは、図８に示す断面視において、第１グリル側爪部４２の斜め外方を向く面（すなわち、斜め上方を向く面）である。第１グリル側傾斜面４３ａは、第１フレーム側爪部４１が第１グリル側爪部４２に挿入された状態において、斜め内方を向く第１フレーム側傾斜面４１ａに密着することが可能な傾斜面をなしている。
【００４０】
また、第１固定爪構造４０は、ここでは、第１フレーム側爪部４１、第１グリル側挿入部４２及び第１グリル側爪部４３だけでなく、リブ部４４をさらに有している。
【００４１】
リブ部４４は、ここでは、底フレーム２１の第１フレーム側爪部４１の近傍に形成されている。より具体的には、リブ部４４は、底フレーム２１の上側面部２２の右上のコーナー部２０ｇ付近と、底フレーム２１の上側面部２２の左上のコーナー部２０ｈ付近とに形成されている。リブ部４４は、底フレーム２１の上側面部２２からさらに外方（ここでは、上方）に向かって突出する突起からなる。ここでは、リブ部４４は、ケーシング２０を外方から見た際（すなわち、上面視）及びケーシング２０を前方から見た際において、略長方形状の突起である。そして、リブ部４４には、前面グリル３１の端部３２ａが前後方向に当接するようになっている。より具体的には、前面グリル３１の端部３２ａの右上のコーナー部２０ｇ付近及び左上のコーナー部２０ｈ付近には、切り欠き部４５が形成されており、第１フレーム側爪部４１が第１グリル側爪部４２に挿入された状態において、リブ部４４に前方から当接するようになっている。ここでは、切り欠き部４５は、ケーシング２０を外方から見た際（すなわち、上面視）において、略長方形状の切り欠きである。
【００４２】
さらに、ここでは、前面グリル３１の上側面部３２（すなわち、ケーシング２０の上側面２０ｄを構成する部分）の背面側の端部３２ａを底フレーム２１の上側面部２２（すなわち、ケーシング２０の背面２０ｆの上端部を構成する部分）に装着するための固定構造として、第１固定爪構造４０だけでなく、第２固定爪構造５０がさらに設けられている。
【００４３】
第２固定爪構造５０は、ケーシング２０を前面から見た際の右上のコーナー部２０ｇと左上のコーナー部２０ｈとの間（すなわち、ケーシング２０を前面から見た際の左右方向中央付近）に設けられている。第２固定爪構造５０は、第２フレーム側爪部５１と、第２グリル側挿入部５２と、第３爪部５３と、第３挿入部５４とを有している。
【００４４】
第２フレーム側爪部５１は、底フレーム２１に形成されている。より具体的には、第２フレーム側爪部５１は、底フレーム２１の上側面部２２の右上のコーナー部２０ｇと底フレーム２１の上側面部２２の左上のコーナー部２０ｈとの間（すなわち、ケーシング２０を前面から見た際の左右方向中央付近）に形成されている。第２フレーム側爪部５１は、底フレーム２１の外方（ここでは、上方）に向かって突出する突起からなる。より具体的には、第２フレーム側爪部５１は、ケーシング２０を外方から見た際（すなわち、上面視）において、略長方形状の突起である。尚、第２フレーム側爪部５１の突起の背面側の部分は、第１フレーム側爪部４１とは異なり、底フレーム２１の外方（ここでは、上方）に向かうにつれて背面側に向かって傾斜しておらず、第１フレーム側傾斜面４１ａに相当する面を有していない。
【００４５】
第２グリル側挿入部５２は、前面グリル３１に形成されている。より具体的には、第２グリル側挿入部５２は、前面グリル３１の端部３２ａの右上のコーナー部２０ｇと前面グリル３１の端部３２ａの左上のコーナー部２０ｈとの間（すなわち、ケーシング２０を前面から見た際の左右方向中央付近）に形成されている。第２グリル側挿入部５２は、第２フレーム側爪部５１が前面グリル３１の内方（ここでは、下方）から挿入される孔からなる（図１０の矢印を参照）。第２グリル側挿入部５２は、ケーシング２０を外方から見た際（すなわち、上面視）において、第２フレーム側爪部５１が嵌る略長方形状の孔である。尚、第２グリル側挿入部５２は、第１グリル側挿入部４２とは異なり、第１グリル側爪部４３に相当する爪部を有していない。
【００４６】
第３爪部５３及び第３挿入部５４は、第２フレーム側爪部５１及び第２グリル側挿入部５２とは別に、前面グリル３１が外方（ここでは、上方）に向かって移動すること制限するために形成されている。第３爪部５３は、前面グリル３１に形成されている。より具体的には、第３爪部５３は、ここでは、前面グリル３１の第２グリル側爪部５１の近傍に形成されている。より具体的には、第３爪部５３は、第２グリル側挿入部５２の左側の位置において、背面側に向かって突出する突起からなる。第３挿入部５４は、底フレーム２１に形成されている。より具体的には、第３挿入部５４は、底フレーム２１の上側面部２２の右上のコーナー部２０ｇと底フレーム２１の上側面部２２の左上のコーナー部２０ｈとの間（すなわち、ケーシング２０を前面から見た際の左右方向中央付近）に形成されている。第３挿入部５４は、第３爪部５３が挿入される部分であり、ここでは、第３爪部５３が前方から挿入される孔からなる。第３爪部５３は、ケーシング２０を前方から見た際において、略長方形状の突起であり、第３挿入部５４は、ケーシング２０を前方から見た際において、第３爪部５３が嵌る略長方形状の孔である。
【００４７】
尚、ここでは、前面グリル３１の下側面部と底フレーム２１の下側面部とは、ねじ（図示せず）によって固定されている。
【００４８】
（３）前面グリルと底フレームとの装着構造の特徴
上記の前面グリル３１と底フレーム２１との装着構造（以下、固定爪構造とする）には、以下のような特徴がある。
【００４９】
＜Ａ＞
本実施形態の第１固定爪構造４０では、第１フレーム側爪部４１を第１グリル側挿入部４２に前面グリル３１の内方（ここでは、下方）から挿入することによって、前面グリル３１が底フレーム２１に装着される。このため、前面グリル３１が内方（ここでは、下方）に向かう移動、及び、底フレーム２１が外方（ここでは、上方）に向かう移動を制限することができる。しかも、この第１固定爪構造４０では、第１フレーム側爪部４１は、第１フレーム側傾斜面４１ａを有しており、第１グリル側挿入部４２には、第１フレーム側傾斜面４１ａに当接する第１グリル側傾斜面４３ａを有する第１グリル側爪部４３が形成されている。そして、この第１フレーム側爪部４１の第１フレーム側傾斜面４１ａは、第１フレーム側爪部４１を第１グリル側挿入部４２に挿入する際に、第１グリル側爪部４３の第１グリル側傾斜面４３ａに当接することによって、前面グリル３１が外方（ここでは、上方）に向かう移動、及び、底フレーム２１が内方（ここでは、下方）に向かう移動を制限することができる。
【００５０】
これにより、前面グリル３１と底フレーム２１との内外方向（ここでは、上下方向）の相対移動を制限することができるため、前面グリル３１が底フレーム２１に対して浮いた状態になりにくくなり、底フレーム２１の側面部（ここでは、上側面部２２）に前面グリル３１の背面側の端部（ここでは、上側面部３２の背面側の端部３２ａ）を確実に固定することができる。
【００５１】
しかも、第１グリル側爪部４３が第１グリル側挿入部４２に形成されており、第１フレーム側爪部４１、第１グリル側挿入部４２及び第１グリル側爪部４３を一カ所にまとめて配置することができるため、固定爪構造を配置しにくい部分にも容易に形成することができる。
【００５２】
特に、本実施形態のような壁掛型室内ユニット１では、底フレーム２１及び前面グリル３１の前面視におけるコーナー部（ここでは、右上のコーナー部２０ｇや左上のコーナー部２０ｈ）付近は、丸みを帯びた形状を有しており、底フレーム２１の側面部（ここでは、上側面部２２）に前面グリル３１の背面側の端部（ここでは、上側面部３２の背面側の端部３２ａ）を装着するための固定爪構造を配置しにくい部分である。
【００５３】
しかし、第１固定爪構造４０は、第１フレーム側爪部４１、第１グリル側挿入部４２及び第１グリル側爪部４３を一カ所にまとめて配置することができる固定爪構造であるため、固定爪構造を配置しにくいコーナー部付近であっても容易に形成することができる。
【００５４】
＜Ｂ＞
本実施形態の第１固定爪構造４０では、リブ部４４によって、前面グリル３１と底フレーム２１との前後方向の相対移動を制限することができる。
【００５５】
これにより、第１フレーム側爪部４１の第１フレーム側傾斜面４１ａと第１グリル側爪部４３の第１グリル側傾斜面４３ａとの当接が解除されにくくなり、底フレーム２１の側面部（ここでは、上側面部２２）に前面グリル３１の背面側の端部（ここでは、上側面部３２の背面側の端部３２ａ）をさらに確実に固定することができる。
【００５６】
＜Ｃ＞
本実施形態の固定爪構造では、２つのコーナー部（ここでは、右上のコーナー部２０ｇ及び左上のコーナー部２０ｈ）付近に第１固定爪構造４０を配置し、２つのコーナー部間（ここでは、右上のコーナー部２０ｇと左上のコーナー部２０ｈとの間の左右方向中央付近）に第２固定爪構造５０を配置している。
【００５７】
ここで、第１固定爪構造４０は、上記のように、前面グリル３１と底フレーム２１との内外方向（ここでは、上下方向）の相対移動を制限する機能が一カ所にまとめて配置された固定爪構造である。これに対して、第２固定爪構造５０は、前面グリル３１と底フレーム２１との内外方向（ここでは、上下方向）の相対移動を制限する機能が、第２フレーム側爪部５１及び第２グリル側挿入部５２の組と、第３爪部５３及び第３挿入部５４の組とに分かれて配置された固定爪構造である。
【００５８】
すなわち、この固定爪構造では、固定爪構造を配置しにくい２つのコーナー部（ここでは、右上のコーナー部２０ｇ及び左上のコーナー部２０ｈ）付近に第１固定爪構造４０を配置し、固定爪構造を配置しやすい２つのコーナー部（ここでは、右上のコーナー部２０ｇと左上のコーナー部２０ｈとの間の左右方向中央付近）間に第２固定爪構造５０を配置している。
【００５９】
このように、ここでは、壁掛型室内ユニット１の部位に応じて、２種類の固定爪構造４０、５０を使い分けるようにしている。
【００６０】
（４）他の実施形態
以上、本発明の実施形態について図面に基づいて説明したが、具体的な構成は、これらの実施形態に限られるものではなく、発明の要旨を逸脱しない範囲で変更可能である。
【００６１】
＜Ａ＞
上記の実施形態では、固定爪構造を配置しやすいコーナー部間（上記では、右上のコーナー部２０ｇと左上のコーナー部２０ｈとの間の左右方向中央付近）には、第２固定爪構造５０を配置しているが、これに代えて、コーナー部（上記では、右上のコーナー部２０ｇや左上のコーナー部２０ｈ）と同様に、第１固定爪構造４０を配置するようにしてもよい。
【００６２】
＜Ｂ＞
上記の実施形態では、底フレーム２１の上側面部２２に前面グリル３１の上側面部３２の背面側の端部３２ａを装着するために第１固定爪構造４０を使用しているが、これに代えて、例えば、底フレーム２１の右側面部や左側面部に前面グリル３１の左側面部や右側面部の背面側の端部を装着するために第１固定爪構造４０を使用する等、他の底フレーム２１の側面部に前面グリル３１の背面側の端部を装着するために第１固定爪構造４０を使用してもよい。
【００６３】
＜Ｃ＞
上記の実施形態では、リブ部４０が底フレーム２１に形成されているが、これに代えて、例えば、リブ部を前面グリル３１の背面側の端部から下方に突出するように形成して底フレーム２１の上側面部２２に前後方向に当接させるように構成する等、リブ部を前面グリル３１に形成するようにしてもよい。
【００６４】
＜Ｄ＞
上記の実施形態では、第３爪部５３が前面グリル３１に形成され、かつ、第３挿入部５４が底フレーム２１に形成されているが、これに代えて、例えば、第３爪部５３を底フレーム２１の上側面部２２から前方に突出するように形成し、かつ、第３挿入部５４を前面グリル３１に形成する等、第３爪部５３を底フレーム２１に形成し、かつ、第３挿入部５４を前面グリル３１に形成するようにしてもよい。
【産業上の利用可能性】
【００６５】
本発明は、底フレームの側面部に前面グリルの背面側の端部を装着するための壁掛型室内ユニットの固定爪構造に広く適用可能である。
【符号の説明】
【００６６】
１  室内ユニット（壁掛型室内ユニット）
２１  底フレーム
３１  前面グリル
４１  第１フレーム側爪部
４１ａ  第１フレーム側傾斜面
４２  第１グリル側挿入部
４３  第１グリル側爪部
４３ａ  第１グリル側傾斜面
４４  リブ部
５１  第２フレーム側爪部
５２  第２グリル側挿入部
５３  第３爪部
５４  第３挿入部
【先行技術文献】
【特許文献】
【００６７】
【特許文献１】特開平１０−１３２３１７号公報
【図１】
2011075153.tif 000003
【図２】
2011075153.tif 000004
【図３】
2011075153.tif 000005
【図４】
2011075153.tif 000006
【図５】
2011075153.tif 000007
【図６】
2011075153.tif 000008
【図７】
2011075153.tif 000009
【図８】
2011075153.tif 000010
【図９】
2011075153.tif 000011
【図１０】
2011075153.tif 000012
【図１１】
2011075153.tif 000013
【図１２】
2011075153.tif 000014